(57)【要約】      （修正有）【課題】たえず尿漏れをする人、または急に尿を催す人には取扱いが簡単で安価に作れるオムツカバーを提供する。【解決手段】２枚合わせたポリエチレンシートの四辺端部を接着したシートの中心を２つにＳ字型に切断し、前記ポリエチレンシートには防水加工を施す。この加工されたポリエチレンシートの角部を内側に折り込み、使用時には折り込み部に吸収紙を差し込み、尻部に当て、左右を合わせて用いる。【選択図】図５
0003177841.tif 000002
【実用新案登録請求の範囲】
【請求項１】
袋体の開口部を接着し、その袋体を左右同一になるように切り取り、開いた中に尿吸収紙を装着したオムツカバー
【考案の詳細な説明】
【技術分野】
【０００１】  本考案は、使い捨てオムツカバーに関する。
【技術背景】
【０００２】  これまでにも、各種のオムツカバーが提供されている。
しかし、寝たきりの人や介護を必要な人にとっては面倒なものが多く、値段も高価である。
【考案が解決しようとする課題】
【０００３】  本考案は前述したような考えから、オムツカバーの素材をポリエチレン材を使用する。即ち、市販のポリエチレン袋を購入して、「図面」で説明してあるように袋体を切り取ると左右同一形状のものが２個出来る。これを開くと外観的にはオムツカバーの型になる。
更にここに、尿吸収紙を装着すればオムツカバーとして使用出来る。
【問題を解決するための手段】
【０００４】  上記課題を解決するためにポリエチレン材で構成した前開き型オムツカバー本体のお尻部には尿吸収紙を装着してある。
また、袋体を切り取った時、２個とも角部が出来るが折り込んで尿が多い時など尿受けにもなる。
【０００５】  ポリエチレン材で出来たオムツカバーは軽くて肌触りが良く、使い勝手が良い。
また、尿吸収紙は市販のものを使ってもよい。
【０００６】  また、尿吸収紙はオムツカバーと分離してあるため、尿漏れが少量の場合は取り替えが出来る。
【産業上の利用可能性】
【０００７】  本考案は以上のように、装着感がよく、安価で使い勝手が良い。
【図面の簡単な説明】
【０００８】
【図１】開口部を接着し切り込みをいれた袋本体
【図２】袋本体を切り取った状態
【図３】切り取った袋体を広げた状態
【図４】袋体に尿吸収紙を装着した状態
【図５】人体に装着した使用状態
【符号の説明】
【０００９】１は切り込み線
２は切り抜いた袋体の一部
３はオムツカバーの前当て部
４は吸収紙
５は前開き型オムツカバー
【図１】
0003177841.tif 000003
【図２】
0003177841.tif 000004
【図３】
0003177841.tif 000005
【図４】
0003177841.tif 000006
【図５】
0003177841.tif 000007
【手続補正書】
【提出日】平成24年3月13日(2012.3.13)
【手続補正１】
【補正対象書類名】実用新案登録請求の範囲
【補正対象項目名】全文
【補正方法】変更
【補正の内容】
【実用新案登録請求の範囲】
【請求項１】
ポリエチレンを防水加工したシートを一定の大きさに切断し、この切断したシート二枚を防水加工面を合わせ四辺をシール加工で全封した袋体を作り押切り切断機で切断したオムツカバー。
【手続補正２】
【補正対象書類名】明細書
【補正対象項目名】全文
【補正方法】変更
【補正の内容】
【考案の詳細な説明】
【技術分野】
【０００１】本考案は使い捨てオムツカバーに関する。
【背景技術】
【０００２】従来から種々のオムツカバーが提供されている。
しかし、オムツカバーは一般に単価が高い。
寝たきりの人は毎日使用するため、経費がかかる。そこで本出願人は安価で使用勝手の良いオムツカバーを提供する。
【考案が解決しようとする課題】
【０００３】従来のオムツカバーは排尿後その都度取り替えなければならない。
そのために大量に必要で経費も大変である。
本考案はオムツカバーをちり紙等で拭いて再利用出来る。
場合により取り替えても良い。
【問題が解決しようとする課題】
【０００４】本考案は上記に鑑み、オムツカバーの本体はポリエチレンを防水加工したシートを利用する。このシートは保温性があり、軽くて体に馴染むため寝たきりの人、尿の近い人にとって使い勝手が良くまた安価に作れる。
【０００５】即ち、このシートを重ねて縦６５０ｍｍ、横５００ｍｍの長さで切断する。
しかしサイズはＳ型、Ｍ型、Ｌ型にも切断出来る。
そしてこの切断したシートをそれぞれ防水加工面を合わせてその切断口をシール加工して四辺を全封する。このように四辺全封した袋体を積み重ねてＳ字型の押切り切断機で切断すると同じ型のものが２個出来るように設計してある。尚、各々のＳ字の先端には斜めの線と小さな穴が設けられているが、この線も切断時に一緒に切断されることは云うまでもない。
この小さな穴はオムツカバーを組立時に内側に折り込みを容易にするためである。そしてその中に吸収紙を挟み係止される役目もある。
【０００６】このように形成したオムツカバーは図に記載してあるように開いた図３の左下角部を内側に折り込むと図４のようになる。使用時にはこの折り込み部に吸収紙を差し込み、尻部に当て、左右を合わせてマジックテープで留め、右部の帯状片を更にその上に当て留める。
【産業上の利用可能性】
【０００７】本考案は以上のことから暖かく装着性も良く安価で使い勝手が良い。
【図面の簡単な説明】
【０００８】
【図１】  本考案の全体図
【図２】  図１を２つに分割した袋体の一部
【図３】  分割した袋体の一部を少し開いた参考図
【図４】  図３を全開して内側に折り込んだ図
【図５】  図４にマジックテープ、吸収紙を備えた完成図
【図６】  オムツカバーを身体に装着したところ
【手続補正３】
【補正対象書類名】図面
【補正対象項目名】全図
【補正方法】変更
【補正の内容】
【図１】
0003177841.tif 000008
【図２】
0003177841.tif 000009
【図３】
0003177841.tif 000010
【図４】
0003177841.tif 000011
【図５】
0003177841.tif 000012
【図６】
0003177841.tif 000013
【手続補正書】
【提出日】平成24年5月30日(2012.5.30)
【手続補正１】
【補正対象書類名】実用新案登録請求の範囲
【補正対象項目名】全文
【補正方法】変更
【補正の内容】
【実用新案登録請求の範囲】
【請求項１】
２枚合わせたポリエチレンシートの四辺端部を接着したシートの中心を２つにＳ字型に切断したオムツカバーであって、このポリエチレンシートには防水加工を施したオムツカバー。
【手続補正２】
【補正対象書類名】明細書
【補正対象項目名】全文
【補正方法】変更
【補正の内容】
【考案の詳細な説明】
【技術分野】
【０００１】本考案は使い捨てオムツカバーに関する。
【背景技術】
【０００２】従来から種々のオムツカバーが提供されている。
しかし、オムツカバーは一般に単価が高い。
寝たきりの人は毎日使用するため、経費がかかる。そこで本出願人は安価で使用勝手の良いオムツカバーを提供する。
【考案が解決しようとする課題】
【０００３】従来のオムツカバーは排尿後その都度取り替えなければならない。
そのために大量に必要で経費も大変である。
本考案はオムツカバーをちり紙等で拭いて再利用出来る。
場合により取り替えても良い。
【問題が解決しようとする課題】
【０００４】本考案は上記に鑑み、オムツカバーの本体はポリエチレンを防水加工したシートを利用する。このシートは保温性があり、軽くて体に馴染むため寝たきりの人、尿の近い人にとって使い勝手が良くまた安価に作れる。
【０００５】即ち、このシートを重ねて縦６５０ｍｍ、横５００ｍｍの長さで切断する。
しかしサイズはＳ型、Ｍ型、Ｌ型にも切断出来る。
そしてこの切断したシートをそれぞれ防水加工面を合わせてその切断口をシール加工して四辺を全封する。このように四辺全封した袋体を積み重ねてＳ字型の押切り切断機で切断すると同じ型のものが２個出来るように設計してある。尚、各々のＳ字の先端には斜めの線と小さな穴が設けられているが、この線も切断時に一緒に切断されることは云うまでもない。
この小さな穴はオムツカバーを組立時に内側に折り込みを容易にするためである。そしてその中に吸収紙を挟み係止される役目もある。
【０００６】このように形成したオムツカバーは図に記載してあるように開いた図３の左下角部を内側に折り込むと図４のようになる。使用時にはこの折り込み部に吸収紙を差し込み、尻部に当て、左右を合わせてマジックテープ（登録商標）で留め、右部の帯状片を更にその上に当て留める。
【産業上の利用可能性】
【０００７】本考案は以上のことから暖かく装着性も良く安価で使い勝手が良い。
【図面の簡単な説明】
【０００８】
【図１】  本考案の全体図
【図２】  図１を２つに分割した袋体の一部
【図３】  分割した袋体の一部を少し開いた参考図
【図４】  図３を全開して内側に折り込んだ図
【図５】  図４にマジックテープ（登録商標）、吸収紙を備えた完成図
【図６】  オムツカバーを身体に装着したところ